(57)【要約】      （修正有）【課題】サーカディアンリズムを基盤としたライフサイクルに合わせてミネラル調合を選定するためのミネラル調合選定サイクル表を提供する。【解決手段】日中ゾーン１２と夜間ゾーン１４で構成される時間帯選定領域１６が表の中心に設けられ、時間帯選定領域１６の外側に、覚醒ホルモンゾーン１８と睡眠ホルモンゾーン２０とから構成されるホルモン選定領域２２が設けられ、ホルモン選定領域２２の外側に、少なくとも交感神経ゾーン２４と副交感神経ゾーン２６とを含む自律神経選定領域２８が設けられ、自律神経選定領域２８の外側に、少なくともクリエイティブゾーン３０、集中ゾーン３２、アクティビティゾーン３４、睡眠ゾーン３６とを含む行動選定領域３８が設けられ、行動選定領域３８の外側に、少なくとも第零ミネラル調合要素４６、第一ミネラル調合要素４８、第二ミネラル調合要素５０、第三ミネラル調合要素５２とを含むミネラル調合要素選定領域５４が設けられる。【選択図】図１
0003216321.tif 000002
【実用新案登録請求の範囲】
【請求項１】
サーカディアンリズムを基盤としたミネラル調合選定サイクル表であって、
日中ゾーンと夜間ゾーンで構成される時間帯選定領域が表の中心に設けられ、
前記時間帯選定領域の外側に、覚醒ホルモンゾーンと睡眠ホルモンゾーンとから構成されるホルモン選定領域が設けられ、
前記ホルモン選定領域の外側に、少なくとも交感神経ゾーンと副交感神経ゾーンとを含む自律神経選定領域が設けられ、
前記自律神経選定領域の外側に、少なくともクリエイティブゾーン、集中ゾーン、アクティビティゾーン、睡眠ゾーンとを含む行動選定領域が設けられ、
前記行動選定領域の外側に、少なくとも第零ミネラル調合要素、第一ミネラル調合要素、第二ミネラル調合要素、第三ミネラル調合要素とを含むミネラル調合要素選定領域が設けられてなる、
ミネラル調合選定サイクル表。
【請求項２】
前記行動選定領域にさらに少なくともアウトプットゾーン、シンプルワークゾーン、クーリングゾーン、が含まれる、請求項１記載のミネラル調合選定サイクル表。
【請求項３】
前記自律神経選定領域と前記行動選定領域にさらに少なくとも昼寝ゾーンが含まれる、請求項１又は２記載のミネラル調合選定サイクル表。
【請求項４】
前記ミネラル調合要素選定領域の外側に、２４時間の時間目盛りが１時間単位で表示されてなる、請求項１〜３いずれか１項記載のミネラル調合選定サイクル表。
【請求項５】
前記ミネラル調合要素選定領域で選定されるミネラル調合要素は、身に着ける又は身近に置かれる商品のためのミネラル調合要素である、請求項１〜４いずれか１項記載のミネラル調合選定サイクル表。
【考案の詳細な説明】
【技術分野】
【０００１】
本考案は、サーカディアンリズムを基盤としたライフサイクルに合わせてミネラルを調合し商品を選定するためのサイクル表に関する。
【背景技術】
【０００２】
人の自律神経機能は交感神経と副交感神経の２つから成り立っている。例えば交感神経が優位の場合には心拍数が増えてドキドキするし、副交感神経が優位の場合には心拍数が減って心身がリラックスしたりする。自律神経機能が乱れると心や体にさまざまな支障が出ることになる。
【０００３】
例えば、特許文献１には、副交感神経を優位にして血行を良好にする保健用具が開示されている。
【０００４】
一方、人の身体は、通常は、朝起きて活動し夜には眠るという、地球の自転周期に合った約２４時間のリズムで生活している。このような体内のリズムはサーカディアンリズム（概日リズム）と呼ばれる。或いは体内時計と呼ばれることもある。
【０００５】
脳の働きやホルモン分泌など人の身体の生命活動には、サーカディアンリズムが関係していると考えられているが、生命活動に関わる重要なリズムにも関わらず、これまではサーカディアンリズムを基盤としたライフサイクルに合わせて、身に着けたり又は身近に置かれる商品を選定することは行われていなかった。
【先行技術文献】
【特許文献】
【０００６】
【特許文献１】実用新案登録第３１０５８３５号
【考案の概要】
【考案が解決しようとする課題】
【０００７】
本考案は上記した問題点に鑑みなされたもので、サーカディアンリズムを基盤としたライフサイクルに合わせてミネラル調合を選定するためのミネラル調合選定サイクル表を提供することを目的とする。
【課題を解決するための手段】
【０００８】
本考案のサーカディアンリズムを基盤としたミネラル調合選定サイクル表は、サーカディアンリズムを基盤としたミネラル調合選定サイクル表であって、日中ゾーンと夜間ゾーンで構成される時間帯選定領域が表の中心に設けられ、前記時間帯選定領域の外側に、覚醒ホルモンゾーンと睡眠ホルモンゾーンとから構成されるホルモン選定領域が設けられ、前記ホルモン選定領域の外側に、少なくとも交感神経ゾーンと副交感神経ゾーンとを含む自律神経選定領域が設けられ、前記自律神経選定領域の外側に、少なくともクリエイティブゾーン、集中ゾーン、アクティビティゾーン、睡眠ゾーンとを含む行動選定領域が設けられ、前記行動選定領域の外側に、少なくとも第零ミネラル調合要素、第一ミネラル調合要素、第二ミネラル調合要素、第三ミネラル調合要素とを含むミネラル調合要素選定領域が設けられてなる、ミネラル調合選定サイクル表である。
【０００９】
前記行動選定領域にさらに少なくともアウトプットゾーン、シンプルワークゾーン、クーリングゾーン、が含まれるのが好適である。
【００１０】
前記自律神経選定領域と前記行動選定領域にさらに少なくとも昼寝ゾーンが含まれるのが好適である。
【００１１】
前記ミネラル調合要素選定領域の外側に、２４時間の時間目盛りが１時間単位で表示されてなるのが好適である。
【００１２】
前記ミネラル調合要素選定領域で選定されるミネラル調合要素は、身に着ける又は身近に置かれる商品のためのミネラル調合要素であるのが好適である。
【考案の効果】
【００１３】
本考案によれば、サーカディアンリズムを基盤としたライフサイクルに合わせてミネラル調合を選定するためのミネラル調合選定サイクル表を提供することができるという著大な効果を奏する。
【図面の簡単な説明】
【００１４】
【図１】本考案のサーカディアンリズムを基盤としたミネラル調合選定サイクル表の一つの実施の形態を示す概略図である。
【考案を実施するための形態】
【００１５】
以下に本考案の実施の形態を図１に基づいて説明するが、これらは例示的に示されるもので、本考案の技術思想から逸脱しない限り種々の変形が可能なことはいうまでもない。
【００１６】
図１は本考案のサーカディアンリズムを基盤としたミネラル調合選定サイクル表の一つの実施の形態を示す。
【００１７】
図１において、符号１０は本考案のミネラル調合選定サイクル表を示す。ミネラル調合選定サイクル表１０は、サーカディアンリズムを基盤としたライフサイクルに合わせてミネラルを調合し商品を選定するためのサイクル表である。
【００１８】
ミネラル調合選定サイクル表１０は、日中ゾーン１２と夜間ゾーン１４で構成される時間帯選定領域１６が表の中心に設けられ、前記時間帯選定領域１６の外側に、覚醒ホルモンゾーン１８と睡眠ホルモンゾーン２０とから構成されるホルモン選定領域２２が設けられ、前記ホルモン選定領域２２の外側に、少なくとも交感神経ゾーン２４と副交感神経ゾーン２６とを含む自律神経選定領域２８が設けられている。
【００１９】
前記自律神経選定領域２８の外側には、少なくともクリエイティブゾーン３０、集中ゾーン３２、アクティビティゾーン３４、睡眠ゾーン３６とを含む行動選定領域３８が設けられている。図示例では、行動選定領域３８にさらに少なくともアウトプットゾーン４０、シンプルワークゾーン４２、クーリングゾーン４４、が含まれる構成とされている。
【００２０】
クリエイティブゾーン３０は、創作性のある仕事や冷静に判断して組み付ける仕事、といったクリエイティブな活動や行動などに適した時間帯のゾーンである。集中ゾーン３２は、集中力を発揮したいときや勉強など、といった集中することに適した時間帯のゾーンである。アクティビティゾーン３４は、トレーニングや競技性のあるもの、といったアクティビティに適した時間帯のゾーンである。
【００２１】
アウトプットゾーン４０は、プレゼンテーションや第三者に伝えたりする仕事、といったアウトプットに適した時間帯のゾーンである。シンプルワークゾーン４２は、メールの返信作業などといった、あまり頭を使わないようなシンプルワークに適した時間帯のゾーンである。クーリングゾーン４４は、リラックスしたり、寝る準備をする、といったクーリングに適した時間帯のゾーンである。
【００２２】
また、前記行動選定領域の外側には、少なくとも第零ミネラル調合要素４６、第一ミネラル調合要素４８、第二ミネラル調合要素５０、第三ミネラル調合要素５２とを含むミネラル調合要素選定領域５４が設けられてなる。
【００２３】
さらに、図１の例では、前記自律神経選定領域２８と前記行動選定領域３８にさらに少なくとも昼寝ゾーン５６が含まれる構成とされている。
【００２４】
そして、前記ミネラル調合要素選定領域５４の外側には、２４時間の時間目盛り５８が１時間単位で表示されている。
【００２５】
即ち、２４時間の時間目盛り５８を参照することで、現在の時間に対応してミネラル調合要素を選定することができる。
【００２６】
例えば、第零ミネラル調合要素４６が選定された場合、快眠・休憩に特化した睡眠時のコンディショニングを目的としたミネラル調合とする。このようなミネラル調合にあたっては、快眠・休憩に効果があるとされる公知のミネラルパウダーなどのミネラルを使用すればよい。
【００２７】
例えば、第一ミネラル調合要素４８が選定された場合、サーモコントロールを基盤にコンフォートコンディショニングを目的としたミネラル調合とする。このようなミネラル調合にあたっては、サーモコントロールに効果があるとされる公知のミネラルパウダーなどのミネラルを使用すればよい。
【００２８】
例えば、第二ミネラル調合要素５０が選定された場合、日常生活やパフォーマンス時の身体のアクチベイトを目的としたミネラル調合とする。このようなミネラル調合にあたっては、身体のアクチベイトに効果があるとされる公知のミネラルパウダーなどのミネラルを使用すればよい。
【００２９】
例えば、第三ミネラル調合要素５２が選定された場合、パフォーマンスの向上を目的とした調合で主にアスリートへの技術提供を目的としたミネラル調合とする。このようなミネラル調合にあたっては、身体のパフォーマンスの向上に効果があるとされる公知のミネラルパウダーなどのミネラルを使用すればよい。また、この場合、糸や繊維ではなく、プリント加工や資材での商品展開の方が好適である。
【００３０】
図示例では、前記ミネラル調合要素選定領域で選定されるミネラル調合要素は、身に着ける又は身近に置かれる商品のためのミネラル調合要素である。
【００３１】
上記身に着ける商品の例としては、スポーツウェアや寝間着を含む衣類、履物、帽子、或いはアクセサリーなど、身に着ける商品であればいずれも含まれる。上記身近に置かれる商品の例としては、枕や布団を含む寝具、或いはタオルやマットなど、身近に置かれる商品であればいずれも含まれる。
【００３２】
本考案のミネラル調合選定サイクル表は、サーカディアンリズムを基盤としたライフサイクルに合わせてミネラルを調合し商品を選定するための表となっているため、人間の生活周期（図１参照）に合わせて、ミネラルパウダーなどのミネラルを調合し、商品或いは商品の元となる原料を提案することができる。
【００３３】
即ち、本考案のミネラル調合選定サイクル表は、人体に元々備わっている素性元素に対してミネラルを調合した組み合わせ元素との呼応反応によって、人間の反射・反応を利用した生理現象を効率的に引き起こすことができるテクノロジーの元となる表である。
【００３４】
本考案のミネラル調合選定サイクル表は、表であればいずれの形式でも含まれる。例えば、印刷物としてもよいし、電子出版物や電子ファイル形式、或いはＷＥＢ上での表示などでもよいことは勿論である。
【００３５】
脳のウィルパワー・分泌物・体温変化などがパフォーマンス向上のテクニックとなる。脳のパフォーマンスは起床からおよそ４時間ほどがピークであり、身体のパフォーマンスは就寝からおおよそ１９時間後がピークと言われている。ウルトラディアンリズムには９０分の集中と２０分の休憩が良く、ポモドーロ・テクニックには２５分の一点集中と５分の休憩が良いとされている。本考案のミネラル調合選定サイクル表は、これらのパフォーマンス向上のテクニックを考慮して考案されたものである。
【００３６】
本考案のミネラル調合選定サイクル表を使用してミネラル調合を選定すれば、サーカディアンリズムを基盤としたライフサイクルに合わせてミネラル調合を選定することができ、選定されたミネラル調合を配合した商品を身に着けたり、身近に置くことで、人間の最高のパフォーマンスが発揮されることとなる。
【００３７】
また、これらのミネラル調合技術を応用して活用することで、アスリートであれば試合や本番など、ビジネスパーソンであればプレゼンテーションや閃きや会議での発想など、大事な時のパフォーマンスを最大化させることが期待できる。
【符号の説明】
【００３８】
１０：本考案のミネラル調合選定サイクル表、１２：日中ゾーン、１４：夜間ゾーン、１６：時間帯選定領域、１８：覚醒ホルモンゾーン、２０：睡眠ホルモンゾーン、２２：ホルモン選定領域、２４：交感神経ゾーン、２６：副交感神経ゾーン、２８：自律神経選定領域、３０：クリエイティブゾーン、３２：集中ゾーン、３４：アクティビティゾーン、３６：睡眠ゾーン、３８：行動選定領域、４０：アウトプットゾーン、４２：シンプルワークゾーン、４４：クーリングゾーン、４６：第零ミネラル調合要素、４８：第一ミネラル調合要素、５０：第二ミネラル調合要素、５２：第三ミネラル調合要素、５４：ミネラル調合要素選定領域、５６：昼寝ゾーン、５８：時間目盛り。
【図１】
0003216321.tif 000003